(57)【要約】      （修正有）【課題】室内の吸湿、脱臭を図り、且つ遠赤外線を放射して室内の環境改善を図ることができる室内の壁面、天井等に張付ける装飾材を提供する。【解決手段】装飾材１は、セラミックスからなる四角形の板状で、周囲に表面より適宜低くした段差部２を設け、当該段差部２より内方を、表面に向けて半円球に近い形に膨出（膨出部３）せしめると共に、底面には、適宜の高さのリング状凸部４を形成する。装飾材１は、珪藻土をそのまま、或いは粘土等のつなぎ材を配合して混練し、焼成して使用し、さらに黄土等の粉末を混入する。セラミックスや珪藻土は、吸水性・吸湿性に富み、黄土は空気浄化機能、防臭機能及び遠赤外線放射機能を持つことを活用して、壁面・天井張付け装飾材を構成する。【選択図】図３
0003147926.tif 000002
【実用新案登録請求の範囲】
【請求項１】
セラミックスまたはパルプ等からなる四角形の板状で、周囲に表面より適宜低くした段差部を設け、当該段差部より内方を、表面に向けて半円球に近い形に膨出せしめると共に、底面の膨出部基部には、適宜の高さのリング状凸部を形成し、且つ当該装飾材には、吸湿性、脱臭性を有し、且つ遠赤外線を放射する機能を含有せしめたことを特徴とする壁面、天井等の装飾材。
【考案の詳細な説明】
【技術分野】
【０００１】  本考案は、室内の壁面、天井等に張付ける装飾材に関するものであり、当該装飾材にて室内の吸湿、脱臭を図り、且つ遠赤外線を放射して室内の環境改善を図らんとするものである。
【背景技術】
【０００２】  ２０世紀に入り石油文明の合成樹脂製品が謳歌する中、快適さと利便性を重視するあまり、自然の力を持った自然素材がいつの間にか脇に追いやられている。そのような状況の中で、住宅建材等から発生する揮発性化学物質やダニ等が原因で、頭痛、鼻炎、皮膚炎等の健康障害を起こすケースが増えているのである。【０００３】  新しい住宅などは、高気密高断熱に特化するあまりに、住宅全体の換気や湿度調整がうまくいかず、湿気と結露でカビだらけになってしまう問題が多発している。これらカビは、見た目の不快感を引き起こすだけではなく、カビ胞子が原因で、アレルギーや肺炎・喘息などの健康障害を引き起こす場合もある深刻な問題である。【０００４】  カビ発生の根本原因は、室内の湿気や結露にある。見た目でカビ等が発生していなくても、なんとなく部屋全体が湿っぽかったり、結露が多いような状況は、カビやダニ発生の予備軍である。壁にカビが生えていないからとか、ダニは見えないから大丈夫等という考えは非常に危険なのである。【０００５】  昔は大変少なかったアトピーや喘息等のアレルギー症、今では現代の住宅事情を象徴する健康障害となっている。アトピーは空気中に浮遊しているヒョウダニの死骸が主原因とされ、ダニはカビ等々を餌にしている。ダニやカビは湿度が７０％以上で異常繁殖する。つまり部屋の空気の質が深くかかわっているのである。【０００６】  空前のペットブームの到来と共に、昔とは異なり、室内でペットを飼う家が急増している。それに伴い起こっているのがペット臭である。ペット自体の体臭はもとより、糞尿等も室内の空気汚染を引き起こしている。室内のペットのトイレ付近は、最も空気が汚染されていることに気づいていない人が多いのが現状である。【０００７】  また、近年禁煙エリアが拡大している。それだけタバコによる健康障害や臭い等の諸問題が人々の間で再認識されていることが分かる。しかし、現実問題として愛煙家も多く、室内がタバコ臭くなってしまう悩みは万人共通の悩みとなっているのである。【０００８】  一方、沖縄地方の亀甲墓に見られるような大型の墓にあっては、やはり墓室内の湿度が問題になっており、墓室内の調湿が求められていた。
【考案の開示】
【考案が解決しようとする課題】
【０００９】  解決しようとする問題点は、自然素材の建築素材がいつのまにか脇に追いやられ、合成樹脂建築素材が多用される中での頭痛、鼻炎、皮膚炎等の健康障害の問題、カビやダニの発生原因といわれる高気密断熱住宅の湿気や結露の問題、ペット臭やタバコ臭の問題等が解決しなければいけない課題である。
【課題を解決するための手段】
【００１０】  これらの諸問題を解決するには、吸湿性、脱臭性を有し、且つ住人の健康問題に勘案して赤外線放射機能を有する住宅建材の開発が必要である。
【考案の効果】
【００１１】  本発明は、セラミックスまたはパルプ等からなる四角形の板状で、周囲に表面より適宜低くした段差部２を設け、当該段差部２より内方を、表面に向けて半円球に近い形に膨出せしめると共に、底面の膨出部３の基部４には、適宜の高さのリング状凸部５を形成し、且つ当該装飾材１には、吸湿性、脱臭性を有し、且つ遠赤外線を放射する機能を含有せしめたことを特徴とする家屋の壁面、天井等の装飾材１であるから、図５に示すように、当該装飾材１を壁面または天井に並べ、付き合わされた装飾材１、１の段差部２、２部分を抑え板６で固定するので、装着は極めて容易にできる。また装飾材１の表面は半球状に膨出（膨出部３）せしめているので、表面積は拡大され、吸湿性の高井セラミックスまたはパルプではあるが、より以上に吸湿、防臭、結露防止の効果が得られる。更に、装飾材１には黄土、珪藻土等の粉末を混入しているので、黄土のもつ湿度調節機能、空気浄化機能、防臭機能、遠赤外線放射機能が加わり、また珪藻土にあっては、多孔質（ポーラス）であるため毛細管現象による高い吸水性と吸湿性があり、石膏ボードの約１０倍程度、木材の約２．５倍程度の吸湿能力が認められており、また吸水性・呼吸性との相乗効果で高い防露性を発揮し、吸湿性と呼吸性の相乗効果で悪臭をミクロの部屋に閉じ込め、空気のろ過が長期間持続できる。その上、住宅の室内だけでなく、大型墓の内部またはカロートの壁面に貼付すれば墓室内の除湿効果が得られる等、極めて顕著なる実用的効果を有するものである。
【考案を実施するための最良の形態】
【００１２】  本考案は、これらの諸問題を解決するための手段として、セラミックスまたはパルプ等からなる四角形の板状で、周囲に表面より適宜低くした段差部を設け、当該段差部より内方を、表面に向けて半円球に近い形に膨出せしめると共に、底面の膨出部基部には、適宜の高さのリング状凸部を形成し、且つ当該装飾材には、吸湿性、脱臭性を有し、且つ遠赤外線を放射する機能を含有せしめたことを特徴とする壁面、天井等の装飾材を呈せんとするものである。
【実施例１】
【００１３】  装飾材１は、セラミックスからなる四角形の板状で、周囲に表面より適宜低くした段差部２を設け、当該段差部２より内方を、表面に向けて半円球に近い形に膨出（膨出部３）せしめると共に、底面には、適宜の高さのリング状凸部４を形成している。【００１４】  装飾材１には、段差部２を除き表面に適宜の模様を付している。当該模様は描かれた模様ではなく、表面積を増やす目的から凹凸をつけた模様が好ましい。【００１５】  装飾材１は、珪藻土をそのまま、或いは粘土等のつなぎ材を配合して混練し、成形後９００〜１．２００℃程度で焼成している。【００１６】  珪藻土以外の材料としては、韓国・西部の高廠郡の産地特有の粘土鉱物性の黄色い土である黄土を用いている。
【実施例２】
【００１７】装飾材１は、パルプからなる四角形の板状で、周囲に表面より適宜低くした段差部２を設け、当該段差部２より内方を、表面に向けて半円球に近い形に膨出（膨出部３）せしめると共に、底面には、適宜の高さのリング状凸部４を形成している。【００１８】  パルプとしては本実施例においてはパルプ滓、古紙パルプ等を用いているが、パルプ滓、古紙パルプに限定を受けるものではない。【００１９】  当該パルプ材には、吸湿性、防臭性、結露防止性の効果を向上せしめる目的から適量の黄土または珪藻土の粉末を混入している。【００２０】  成形方法としては、ソフトモールドとハードモールドがあり、ソフトモールドは、金型に金網を貼り合わせ、原料の希薄溶液に浸してすき上げ、水、空気を引き抜くことで繊維を付着させる方法であり、製品の厚みは１〜３ｍｍ程度となる。またハードモールドはテックスとも呼ばれるが、高濃度の原料溶液を金型に注入し、プレス脱水して成形する方法であり、製品の厚みは１０ｍｍ以上に成型することができる。従って本考案に係る装飾材１の成形方法としてはハードモールドが好ましいが、当該成形方法に限定を受けるものではない。
【産業上の利用可能性】
【００２１】  本考案は、セラミックスまたはパルプ等からなる四角形の板状で、周囲に表面より適宜低くした段差部２を設け、当該段差部２より内方を、表面に向けて半円球に近い形に膨出せしめると共に、底面には、適宜の高さのリング状凸部４を形成し、且つ当該装飾材１には、吸湿性、脱臭性を有し、且つ遠赤外線を放射する機能を含有せしめたことを特徴とする家屋の壁面、天井等の装飾材１であるから、図５に示すように、当該装飾材１を壁面または天井に並べ、付き合わされた装飾材１、１の段差部２、２部分を抑え板５で固定するので、装着は極めて容易にできる。また装飾材１の表面は半球状に膨出（膨出部３）せしめているので、表面積は拡大され、吸湿性の高いセラミックスまたはパルプではあるが、より以上に吸湿、防臭、結露防止の効果が得られる。更に、装飾材１には黄土、珪藻土等の粉末を混入しているので、黄土のもつ湿度調節機能、空気浄化機能、防臭機能、遠赤外線放射機能が加わり、また珪藻土にあっては、多孔質（ポーラス）であるため毛細管現象による高い吸水性と吸湿性があり、石膏ボードの約１０倍程度、木材の約２．５倍程度の吸湿能力が認められており、また吸水性・呼吸性との相乗効果で高い防露性を発揮し、吸湿性と呼吸性の相乗効果で悪臭をミクロの部屋に閉じ込め、空気のろ過が長期間持続できる。しかも住宅の室内だけでなく、大型墓の内部またはカロートの壁面に貼付すれば墓室内の除湿効果が得られる等、建築材料としての産業上での利用可能性は極めて大きいものがある。
【図面の簡単な説明】
【００２２】
【図１】  本考案装飾材の平面図
【図２】  本考案装飾材の裏面図
【図３】  本考案装飾材の側面図
【図４】  本考案装飾材の断側面図
【図５】  使用状態を示す側面図
【符号の説明】
【００２３】１  装飾材
２  段差部
３  膨出部
４  底面凸部
５  押え板
【図１】
0003147926.tif 000003
【図２】
0003147926.tif 000004
【図３】
0003147926.tif 000005
【図４】
0003147926.tif 000006
【図５】
0003147926.tif 000007